(57)【要約】【課題】成型用金型の構成を簡素化することができる樹脂製のカム筒を提供すること。【解決手段】光学レンズを保持するレンズ保持体３と係合するとともに回動しながら光学レンズを光軸方向（Ｚ方向）へ移動させる樹脂製のカム筒５の内周側には、レンズ保持体３と係合してＺ２方向へレンズ保持体２を移動させる第１カム面５ｂと、第１カム面５ｂからＺ２方向に向かって内周面５ｔのＺ２方向端まで窪む第１カム溝５ｃと、レンズ保持体３と係合してＺ１方向へレンズ保持体３を移動させる第２カム面５ｄと、第２カム面５ｄからＺ１方向に向かって内周面５ｔのＺ１方向端まで窪む第２カム溝５ｅとが形成されている。【選択図】図３
2009036874.tif 000002
【特許請求の範囲】
【請求項１】
光学レンズを保持するレンズ保持体と係合するとともに回動しながら上記光学レンズを光軸方向へ移動させる樹脂製のカム筒において、
上記レンズ保持体と係合して上記光軸方向の一方向へ上記レンズ保持体を移動させる第１カム面と、上記第１カム面から上記一方向に向かって上記カム筒の内周面の一方向端まで窪む第１カム溝と、上記レンズ保持体と係合して上記光軸方向の他方向へ上記レンズ保持体を移動させる第２カム面と、上記第２カム面から上記他方向に向かって上記内周面の他方向端まで窪む第２カム溝とが内周側に形成されていることを特徴とするカム筒。
【請求項２】
前記第１カム溝から前記他方向端まで通ずるように窪む連通部および／または前記第２カム溝から前記一方向端まで通ずるように窪む連通部が前記内周側に形成されていることを特徴とする請求項１記載のカム筒。
【請求項３】
光学レンズをそれぞれ保持する複数のレンズ保持体と係合するとともに回動しながら上記光学レンズのそれぞれを光軸方向へ移動させる樹脂製のカム筒において、
所定の外径および内径で形成される大径部と、上記大径部よりも小さな外径および内径で形成される小径部と、上記大径部と上記小径部との間に形成される段部とを備え、
上記大径部の内周側に、１つの上記レンズ保持体である第１レンズ保持体と係合して上記段部が形成される上記光軸方向の一方向へ上記第１レンズ保持体を移動させる大径部第１カム面と、上記大径部第１カム面から上記一方向に向かって上記段部まで窪む大径部第１カム溝と、上記第１レンズ保持体と係合して上記光軸方向の他方向へ上記第１レンズ保持体を移動させる大径部第２カム面と、上記大径部第２カム面から上記他方向に向かって上記大径部の内周面の他方向端まで窪む大径部第２カム溝が形成され、
上記小径部の内周側に、他の上記レンズ保持体である第２レンズ保持体と係合して上記一方向へ上記第２レンズ保持体を移動させる小径部第１カム面と、上記小径部第１カム面から上記一方向に向かって上記小径部の内周面の一方向端まで窪む小径部第１カム溝と、上記第２レンズ保持体と係合して上記他方向へ上記第２レンズ保持体を移動させる小径部第２カム面と、上記小径部第２カム面から上記他方向に向かって上記段部まで窪む小径部第２カム溝が形成されていることを特徴とするカム筒。
【請求項４】
請求項１または２記載のカム筒と、前記レンズ保持体と、前記レンズ保持体を前記光軸方向へ略直線状に案内する案内筒とを備え、
前記カム筒は、前記第１カム溝と前記第２カム溝とからなる３組のカム溝組を備え、
前記レンズ保持体は、前記第１カム溝および前記第２カム溝のそれぞれに係合する６本の係合突起を備えることを特徴とするレンズ鏡筒。
【請求項５】
請求項３記載のカム筒と、複数の前記レンズ保持体と、複数の前記レンズ保持体を前記光軸方向へ略直線状に案内する案内筒とを備え、
前記カム筒は、前記大径部第１カム溝と前記大径部第２カム溝とからなる３組の大径部カム溝組と、前記小径部第１カム溝と前記小径部第２カム溝とからなる３組の小径部カム溝組とを備え、
前記レンズ保持体は、前記大径部第１カム溝および前記大径部第２カム溝のそれぞれに、あるいは、前記小径部第１カム溝および前記小径部第２カム溝のそれぞれに係合する６本の係合突起を備えることを特徴とするレンズ鏡筒。
【請求項６】
前記レンズ保持体は、樹脂で略円筒状に形成されるとともに、前記係合突起として、前記レンズ保持体の径方向中心を中心に略１２０°ピッチで前記レンズ保持体の外周面に配置される柱状また筒状の第１係合突起と、前記レンズ保持体の径方向中心を中心に上記第１係合突起に対して略６０°ピッチで前記レンズ保持体の外周面に配置され、前記レンズ保持体の円周方向の一端が開口する第２係合突起とを備えることを特徴とする請求項４または５記載のレンズ鏡筒。
【請求項７】
請求項４から６いずれかに記載のレンズ鏡筒を備えることを特徴とする光学機器。
【発明の詳細な説明】
【技術分野】
【０００１】
本発明は、カム筒、レンズ鏡筒および光学機器に関する。
【背景技術】
【０００２】
従来から、プロジェクタ装置用のレンズ鏡筒では、レンズを保持するレンズ枠と、レンズ枠に固定されたカムピンと、カムピンに係合するスリット部が形成されレンズ枠を光軸方向へ直線状に案内するガイド筒と、カムピンに係合するカム溝が形成されレンズを光軸方向に沿って移動させるカム筒とが使用されている（たとえば、特許文献１参照）。
【０００３】
この特許文献１に記載のカム筒は樹脂成型によって形成されている。また、特許文献１に記載のカム筒では、カム溝は、カム筒の内周面に径方向外側に向けて窪むように形成されている。具体的には、このカム溝は、所定の幅で形成されるとともに、周方向に沿って形成される部分と周方向に対して傾斜するように形成される部分とから構成されている。
【０００４】
特許文献１に記載のレンズ鏡筒では、カム筒が一方向へ回転すると、カム溝に係合するカムピンはカム溝に沿ってレンズ鏡筒の先端側に向かって移動する。すなわち、レンズ枠はレンズ鏡筒の先端側に向かって移動する。また、カム筒が他方向へ回転すると、カム溝に係合するカムピンはカム溝に沿ってレンズ鏡筒の後端側に向かって移動する。すなわち、レンズ枠はレンズ鏡筒の後端側に向かって移動する。
【０００５】
【特許文献１】特開２００４−３４７６４６号公報
【発明の開示】
【発明が解決しようとする課題】
【０００６】
しかしながら、特許文献１に記載のカム溝は、カム筒の内周面に径方向外側に向けて窪むように、かつ、周方向に沿うようにまた周方向に対して傾斜するように所定の幅で形成されている。そのため、樹脂成型で形成されるカム筒の成型後には、カム筒の内周側に配置される成型用金型をカム筒の径方向内側に移動させないと、成型用金型からカム筒を外すことができない。その結果、カム筒を形成するための成型用金型の構造が複雑となる。
【０００７】
そこで、本発明の課題は、成型用金型の構成を簡素化することができる樹脂製のカム筒を提供することにある。また、本発明の課題は、このカム筒を備えるレンズ鏡筒および光学機器を提供することにある。
【課題を解決するための手段】
【０００８】
上記の課題を解決するため、本発明は、光学レンズを保持するレンズ保持体と係合するとともに回動しながら光学レンズを光軸方向へ移動させる樹脂製のカム筒において、レンズ保持体と係合して光軸方向の一方向へレンズ保持体を移動させる第１カム面と、第１カム面から一方向に向かってカム筒の内周面の一方向端まで窪む第１カム溝と、レンズ保持体と係合して光軸方向の他方向へレンズ保持体を移動させる第２カム面と、第２カム面から他方向に向かって内周面の他方向端まで窪む第２カム溝とが内周側に形成されていることを特徴とする。
【０００９】
本発明のカム筒では、第１カム溝が、光軸方向の一方向へレンズ保持体を移動させる第１カム面から一方向に向かってカム筒の内周面の一方向端まで形成され、第２カム溝が、光軸方向の他方向へレンズ保持体を移動させる第２カム面から他方向に向かって内周面の他方向端まで形成されている。そのため、成型後には、カム筒の内周側を形成するための成型用金型を光軸方向に移動させることで、成型用金型からカム筒を外すことができる。したがって、本発明では、成型用金型の構成を簡素化することができる。その結果、金型費を低減し、カム筒の部品単価を低減することができる。
【００１０】
本発明において、カム筒では、第１カム溝から他方向端まで通ずるように窪む連通部および／または第２カム溝から一方向端まで通ずるように窪む連通部が内周側に形成されていることが好ましい。このように構成すると、カム筒の内周側に光軸方向からレンズ保持体等を挿入して、第１カム面および第２カム面とレンズ保持体とを係合させることができる。したがって、このカム筒が用いられるレンズ鏡筒では、組立作業が容易になる。
【００１１】
また、上記の課題を解決するため、本発明は、光学レンズをそれぞれ保持する複数のレンズ保持体と係合するとともに回動しながら光学レンズのそれぞれを光軸方向へ移動させる樹脂製のカム筒において、所定の外径および内径で形成される大径部と、大径部よりも小さな外径および内径で形成される小径部と、大径部と小径部との間に形成される段部とを備え、大径部の内周側に、１つのレンズ保持体である第１レンズ保持体と係合して段部が形成される光軸方向の一方向へ第１レンズ保持体を移動させる大径部第１カム面と、大径部第１カム面から一方向に向かって段部まで窪む大径部第１カム溝と、第１レンズ保持体と係合して光軸方向の他方向へ第１レンズ保持体を移動させる大径部第２カム面と、大径部第２カム面から他方向に向かって大径部の内周面の他方向端まで窪む大径部第２カム溝が形成され、小径部の内周側に、他のレンズ保持体である第２レンズ保持体と係合して一方向へ第２レンズ保持体を移動させる小径部第１カム面と、小径部第１カム面から一方向に向かって小径部の内周面の一方向端まで窪む小径部第１カム溝と、第２レンズ保持体と係合して他方向へ第２レンズ保持体を移動させる小径部第２カム面と、小径部第２カム面から他方向に向かって段部まで窪む小径部第２カム溝が形成されていることを特徴とする。
【００１２】
本発明のカム筒では、大径部に、大径部第１カム溝が、段部が形成される光軸方向の一方向へ第１レンズ保持体を移動させる大径部第１カム面から一方向に向かって段部まで形成され、大径部第２カム溝が、光軸方向の他方向へ第１レンズ保持体を移動させる大径部第２カム面から他方向に向かって大径部の内周面の他方向端まで形成されている。また、小径部に、小径部第１カム溝が、光軸方向の一方向へ第２レンズ保持体を移動させる小径部第１カム面から一方向に向かって小径部の内周面の一方向端まで形成され、小径部第２カム溝が、段部が形成される光軸方向の他方向へ第２レンズ保持体を移動させる小径部第２カム面から他方向に向かって段部まで形成されている。そのため、成型後には、カム筒の内周側を形成するための成型用金型を光軸方向に移動させることで、成型用金型からカム筒を外すことが可能になる。したがって、本発明では、成型用金型の構成を簡素化することが可能となり、金型費を低減し、カム筒の部品単価を低減することが可能となる。
【００１３】
本発明のカム筒は、レンズ保持体と、レンズ保持体を光軸方向へ略直線状に案内する案内筒とを備えるレンズ鏡筒であって、カム筒が、第１カム溝と第２カム溝とからなる３組のカム溝組を備え、レンズ保持体が、第１カム溝および第２カム溝のそれぞれに係合する６本の係合突起を備えるレンズ鏡筒に用いることができる。
【００１４】
また、本発明のカム筒は、複数のレンズ保持体と、複数のレンズ保持体を光軸方向へ略直線状に案内する案内筒とを備えるレンズ鏡筒であって、カム筒は、大径部第１カム溝と大径部第２カム溝とからなる３組の大径部カム溝組と、小径部第１カム溝と小径部第２カム溝とからなる３組の小径部カム溝組とを備え、レンズ保持体は、大径部第１カム溝および大径部第２カム溝のそれぞれに、あるいは、小径部第１カム溝および小径部第２カム溝のそれぞれに係合する６本の係合突起を備えるレンズ鏡筒に用いることができる。
【００１５】
このレンズ鏡筒では、カム筒の成型用金型の構成を簡素化することができるため、レンズ鏡筒の製造工程を簡素化することができる。また、このレンズ鏡筒では、３組のカム溝組、大径部カム溝組あるいは小径部カム溝組に６本の係合突起が係合するため、たとえば、第１カム溝と第２カム溝とを（または、大径部第１カム溝と大径部第２カム溝とを、あるいは、小径部第１カム溝と小径部第２カム溝とを）略６０°ピッチで形成することで、光軸方向へのレンズ保持体の移動を安定させることができる。
【００１６】
本発明において、レンズ保持体は、樹脂で略円筒状に形成されるとともに、係合突起として、レンズ保持体の径方向中心を中心に略１２０°ピッチでレンズ保持体の外周面に配置される柱状また筒状の第１係合突起と、レンズ保持体の径方向中心を中心に第１係合突起に対して略６０°ピッチでレンズ保持体の外周面に配置され、レンズ保持体の円周方向の一端が開口する第２係合突起とを備えることが好ましい。このように構成すると、レンズ保持体の円周方向における第２係合突起の一端が開口しているため、レンズ保持体に６本の係合突起が形成される場合であっても、レンズ保持体を樹脂成型で形成する際にレンズ保持体の外周側に配置される成型用金型を第１係合突起を略中心に分割される３つの分割金型で構成することが可能になる。そのため、レンズ保持体を形成するための成型用金型の取扱いが容易になり、レンズ保持体の形成が容易になる。
【００１７】
本発明のレンズ鏡筒は、光学機器に用いることができる。このように構成された光学機器では、レンズ鏡筒の製造工程を簡素化することができる。また、この光学機器では、光軸方向へのレンズ保持体の移動を安定させることができる。
【発明の効果】
【００１８】
以上のように、本発明にかかるカム筒では、成型用金型の構成を簡素化することができる。また、本発明にかかるレンズ鏡筒および光学機器では、製造工程を簡素化することができるとともに、光軸方向へのレンズ保持体の移動を安定させることができる。
【発明を実施するための最良の形態】
【００１９】
以下、本発明の実施の形態を図面に基づいて説明する。
【００２０】
［実施の形態１］
（レンズ鏡筒の概略構成）
図１は、本発明の実施の形態１にかかるレンズ鏡筒１を示す斜視図であり、（Ａ）は一方向からレンズ鏡筒１を示し、（Ｂ）は他方向からレンズ鏡筒１を示す。図２は、図１（Ａ）に示すレンズ鏡筒１からフォーカシングレンズ２、第２カム筒６およびケース体８等を取り外した状態を示す斜視図である。図３は、図２に示す状態から第１カム筒５を取り外した状態を示す分解斜視図である。図４は、図２に示す第１レンズ保持体３の斜視図であり、（Ａ）は第１レンズ保持体３をＺ１方向側から示し、（Ｂ）は第１レンズ保持体３をＺ２方向側から示す。なお、以下の説明では、図１に示すように、レンズ鏡筒１の光軸方向をＺ方向とするとともに、光軸方向の一方向（図１の紙面奥側に向かう方向）をＺ２方向、光軸方向の他方向（図１の紙面手前側に向かう方向）をＺ１方向とする。
【００２１】
本形態のレンズ鏡筒１は、光源や光変調素子等を備える光学機器としてのプロジェクタ装置の投射レンズ鏡筒等に使用されるものである。このレンズ鏡筒１は、図１〜図３に示すように、光学レンズとしてのフォーカシングレンズ２と、フォーカシングレンズ２を保持するレンズ保持体としての第１レンズ保持体３と、ズーミングレンズ（図示省略）と、ズーミングレンズを保持する第２レンズ保持体（図示省略）と、第１レンズ保持体３および第２レンズ保持体を光軸方向（Ｚ方向）へ略直線状に案内するための案内筒４と、第１レンズ保持体３をＺ方向へ移動させるカム筒としての第１カム筒５と、第２レンズ保持体をＺ方向へ移動させる第２カム筒６と、第１カム筒５を回動させるためのモータ７と、第２カム筒６を回動させるためのモータ９と、第２カム筒６等の一部が収納されるケース体８とを備えている。
【００２２】
第１レンズ保持体３は、成型用金型を用いた樹脂成型によって形成されている。この第１レンズ保持体３は、図４に示すように、Ｚ２方向端側に配置される突起保持部３ａを備え、全体として略円筒状に形成されている。第１レンズ保持体３の内周側にはフォーカシングレンズ２が固定されている。また、第１レンズ保持体３は、突起保持部３ａに固定される６本の係合突起１１を備えている。すなわち、突起保持部３ａには、係合突起１１が固定される突起固定部３ｂが形成されている。具体的には、図４（Ｂ）に示すように、第１レンズ保持体３の径方向中心（すなわち、光軸）を中心に略６０°ピッチで突起固定部３ｂが形成されている。
【００２３】
係合突起１１は、樹脂で形成されるとともに円筒状に形成されている。また、係合突起１１は、突起保持部３ａの外周面から径方向外側に向かって突出するように、突起固定部３ｂに固定されている。係合突起１１は、案内筒４に形成された後述の第１案内溝４ａおよび第１カム筒５に形成された後述の第１カム面５ｂ、第２カム面５ｄに係合している。
【００２４】
案内筒４は、金属で形成されるとともに底付きの略円筒状に形成されている。案内筒４には、第１レンズ保持体３をＺ方向へ直線状に案内するための第１案内溝４ａと、第２レンズ保持体をＺ方向へ直線状に案内するための第２案内溝４ｂとが形成されている。
【００２５】
第１案内溝４ａは、案内筒４の筒部のＺ１方向端側に形成されている。具体的には、案内筒４の径方向中心（すなわち、光軸）を中心に略６０°ピッチで、Ｚ方向を長手方向とする第１案内溝４ａが６本、案内筒４に形成されている。第１案内溝４ａのそれぞれには、図３に示すように、係合突起１１が挿通されている。すなわち、案内筒４のＺ１方向端側の内部に、第１レンズ保持体３の突起保持部３ａが配置されている。
【００２６】
第２案内溝４ｂは、Ｚ方向における案内筒４の筒部の略中心位置に形成されている。具体的には、案内筒４の径方向中心を中心に略１２０°ピッチで、Ｚ方向を長手方向とする第２案内溝４ｂが３本、案内筒４に形成されている。第２案内溝４ｂのそれぞれには、第２レンズ保持体に固定された係合突起（図示省略）が挿通されている。すなわち、案内筒４の内部に、第２レンズ保持体が配置されている。
【００２７】
第１カム筒５は、成型用金型を用いた樹脂成型によって形成されている。また、第１カム筒５は、全体として略円筒状に形成されている。この第１カム筒５は、案内筒４のＺ１方向端側の径方向外側に配置されている。第１カム筒５のＺ２方向端側の外周面には、モータ７の出力軸に固定された歯車１２に噛合う歯車部５ａが形成されており、第１カム筒５は、案内筒４に対して回動可能となっている。第１カム筒５の詳細な構成については後述する。
【００２８】
第２カム筒６は、樹脂で形成されるとともに、全体として略円筒状に形成されている。この第２カム筒６は、案内筒４の径方向外側であって、第１カム筒５よりもＺ２方向端側に配置されている。第２カム筒６のＺ１方向端側の外周面には、モータ９の出力軸に固定された歯車１３に噛合う歯車部６ａが形成されており、第２カム筒６は案内筒４に対して回動可能となっている。また、第２カム筒６の内周側には、第２レンズ保持体をＺ方向へ移動させるための３本のカム溝が形成されている。具体的には、第２カム筒６の内周側には、径方向外側に向けて窪むように所定の幅のカム溝が形成されている。このカム溝には、第２レンズ保持体に固定された係合突起が係合している。
【００２９】
ケース体８は、略円筒状に形成されている。このケース体８は、第２カム筒６の外周側を覆うように、案内筒４に固定されている。また、ケース体８には、２個のモータ７、９が固定されている。
【００３０】
（第１カム筒の構成）
図５は、図３に示す第１カム筒５の内周側を展開して示す展開図である。
【００３１】
第１カム筒５は、上述のように、全体として略円筒状に形成されている。この第１カム筒５の内周側には、図３、図５に示すように、Ｚ２方向へ第１レンズ保持体３を移動させるための第１カム面５ｂと、第１カム面５ｂからＺ２方向に向かって第１カム筒５の内周面５ｔのＺ２方向端まで径方向外側に窪む第１カム溝５ｃと、Ｚ１方向へ第１レンズ保持体３を移動させるための第２カム面５ｄと、第２カム面５ｄからＺ１方向に向かって内周面５ｔのＺ１方向端まで径方向外側に窪む第２カム溝５ｅとが形成されている。また、第１カム筒５の内周側には、第１カム溝５ｃから内周面５ｔのＺ１方向端まで通ずるように径方向外側に窪む連通部５ｆが形成されている。なお、本形態では、第１カム筒５の内周側の最も径の小さい部分が内周面５ｔとなっている。
【００３２】
本形態では、第１カム筒５の内周側には、略１２０°ピッチで第１カム面５ｂが３箇所に形成され、また、略１２０°ピッチで第２カム面５ｄが３箇所に形成されている。すなわち、第１カム筒５の内周側には、略１２０°ピッチで第１カム溝５ｃが３箇所に形成され、略１２０°ピッチで第２カム溝５ｅが３箇所に形成されている。
【００３３】
具体的には、第１カム筒５の内周側には、円周方向に沿って、第１カム面５ｂと第２カム面５ｄとが略６０°ピッチで交互に形成されている。すなわち、第１カム筒５の内周側には、略６０°ピッチで第１カム溝５ｃと第２カム溝５ｅとが交互に形成されている。本形態では、隣接する第１カム溝５ｃと第２カム溝５ｅとによって１組のカム溝組５ｇが構成されている。すなわち、本形態の第１カム筒５は３組のカム溝組５ｇを備えている。
【００３４】
第１カム面５ｂおよび第２カム面５ｄは、後述のように回動する第１カム筒５の回動角度に応じて、第１レンズ保持体３がＺ方向へ適切に移動するような形状となっている。本形態では、第１カム面５ｂおよび第２カム面５ｄは、円周方向に対して緩やかに傾斜する略平面状に形成されている。たとえば、第１カム面５ｂおよび第２カム面５ｄは、図５に示すように、円周方向に対して右上りで緩やかに傾斜する略平面状に形成されている。また、円周方向に対する第１カム面５ｂの傾斜角度と第２カム面５ｄの傾斜角度とが等しくなっている。なお、第１カム面５ｂ、第２カム面５ｄは、曲面状に形成されても良い。
【００３５】
第１カム溝５ｃは、上述のように、第１カム面５ｂからＺ２方向に向かって内周面５ｔのＺ２方向端まで径方向外側に窪むように形成されている。すなわち、径方向から見たとき、第１カム溝５ｃは、Ｚ方向に略平行な２つの側面５ｈ、５ｊと第１カム面５ｂとに囲まれるとともに、第１カム溝５ｃのＺ２方向側は開口している。また、連通部５ｆは、図５における第１カム面５ｂの右端部からＺ１方向に向かって所定の幅で形成されている。なお、実際には、側面５ｈ、５ｊは、Ｚ２方向に向かうにしたがって第１カム溝５ｃの円周方向の幅がわずかに広くなるようにＺ方向に対してわずかに傾斜している。
【００３６】
第２カム溝５ｅは、上述のように、第２カム面５ｄからＺ１方向に向かって内周面５ｔのＺ１方向端まで径方向外側に窪むように形成されている。すなわち、径方向から見たとき、第２カム溝５ｅは、Ｚ方向に略平行な２つの側面５ｋ、５ｍと第２カム面５ｄとに囲まれるとともに、第２カム溝５ｅのＺ１方向側は開口している。なお、実際には、側面５ｋ、５ｍは、Ｚ１方向に向かうにしたがって第２カム溝５ｅの円周方向の幅がわずかに広くなるようにＺ方向に対してわずかに傾斜している。
【００３７】
第１カム面５ｂには、Ｚ２方向から係合突起１１が当接して係合している。また、第２カム面５ｄには、Ｚ１方向から係合突起１１が当接して係合している。すなわち、第１カム溝５ｃおよび第２カム溝５ｅのそれぞれには、係合突起１１が係合している。
【００３８】
本形態では、第１カム筒５の内周側を形成するための成型用金型として、Ｚ方向で２分割された成型用金型を用いている。すなわち、第１カム筒５の成型後に、２分割された成型用金型をそれぞれＺ１方向、Ｚ２方向へ移動させることで、第１カム筒５の内周側に、第１カム面５ｂ、第２カム面５ｄ、第１カム溝５ｃ、第２カム溝５ｅおよび連通部５ｆ等が形成される。
【００３９】
（レンズ鏡筒の組立手順および概略動作）
図６は、図１に示すレンズ鏡筒１における第１レンズ保持体３の動作を説明するための図であり、（Ａ）は第１レンズ保持体３がＺ１方向へ移動した状態を示し、（Ｂ）は第１レンズ保持体３がＺ２方向へ移動した状態を示す。
【００４０】
以上のように構成されたレンズ鏡筒１の組立手順および概略動作を以下に説明する。はじめに、レンズ鏡筒１の組立手順の概略を説明する。
【００４１】
まず、第１レンズ保持体３にフォーカシングレンズ２を固定し、第２レンズ保持体にズーミングレンズを固定する。その後、係合突起１１が固定されていない状態の第１レンズ保持体３および係合突起が固定されていない状態の第２レンズ保持体を案内筒４の中に配置する。その後、案内筒４の径方向外側から第１案内溝４ａに係合突起１１を挿通して、第１レンズ保持体３の突起保持部３ａに６本の係合突起１１を固定する。この状態では、６本の係合突起１１の先端側は、図３に示すように、案内筒４から径方向外側に突出している。同様に、係合突起を第２案内溝４ｂに挿通して、第２レンズ保持体に固定する。
【００４２】
その後、Ｚ１方向からＺ２方向に向かって、第１レンズ保持体３および第２レンズ保持体を保持した案内筒４を第１カム筒５に挿通する。このとき、案内筒４から径方向外側に突出している６本の係合突起１１のうちの３本は、連通部５ｆを通過して第１カム溝５ｃに係合する。また、他の３本の係合突起１１は、第２カム溝５ｅに係合する。すなわち、係合突起１１は、第１カム面５ｂおよび第２カム面５ｄに係合する。
【００４３】
その後、Ｚ１方向からＺ２方向に向かって、第２カム筒６に案内筒４を挿通する。その後、ケース体８を案内筒４に固定し、２個のモータ７、９をケース体８に固定する。また、その他の所定の部品等を組み付けることで、レンズ鏡筒１の組立が完了する。
【００４４】
続いて、レンズ鏡筒１の概略動作を説明する。
【００４５】
たとえば、フォーカシング動作を行うために、モータ７が起動すると、歯車部５ａに噛合う歯車１２が回転する。歯車１２が回転すると、第１カム筒５が案内筒４に対して相対的に回動する。第１カム筒５が一方向へ回動すると、図６（Ａ）に示すように、第２カム面５ｄに当接する係合突起１１が第２カム面５ｄに沿ってＺ１方向へ移動するため、第１レンズ保持体３はＺ１方向へ移動する。また、第１カム筒５が他方向へ回動すると、図６（Ｂ）に示すように、第１カム面５ｂに当接する係合突起１１が第１カム面５ｂに沿ってＺ２方向へ移動するため、第１レンズ保持体３はＺ２方向へ移動する。
【００４６】
また、ズーム動作を行うために、モータ９が起動すると、歯車部６ａに噛合う歯車１３が回転する。歯車１３が回転すると、第２カム筒６が回動して、第２レンズ保持体がＺ方向へ移動する。
【００４７】
（本形態の主な効果）
以上説明したように、本形態では、第１カム溝５ｃが、第１カム面５ｂからＺ２方向に向かって内周面５ｔのＺ２方向端まで形成され、第２カム溝５ｅが、第２カム面５ｄからＺ１方向に向かって内周面５ｔのＺ１方向端まで形成されている。そのため、Ｚ方向に２分割される成型用金型を用いた樹脂成型で第１カム筒５の内周側を形成することができる。すなわち、第１カム筒５の内周側を形成するための成型用金型の一方をＺ１方向へ移動させ、他方をＺ２方向へ移動させることで、成型用金型から第１カム筒５を外すことができるため、Ｚ方向に２分割される成型用金型を用いた樹脂成型で第１カム筒５の内周側を形成することができる。その結果、本形態では、第１カム筒５を形成するための成型用金型の構成を簡素化することができる。
【００４８】
本形態では、第１カム筒５の内周側には、第１カム溝５ｃから内周面５ｔのＺ１方向端まで通ずるように窪む連通部５ｆが形成されている。そのため、第１レンズ保持体３を保持した案内筒４をＺ１方向からＺ２方向に向かって第１カム筒５の内周側に挿通して、第１カム面５ｂおよび第２カム面５ｄと係合突起１１とを係合させることができる。したがって、本形態では、レンズ鏡筒１の組立作業が容易になる。
【００４９】
本形態では、第１レンズ保持体３の径方向中心を中心に略６０°ピッチで配置された６本の係合突起１１のうちの３本が、略１２０°ピッチで形成される第１カム面５ｃに係合し（すなわち、第１カム溝５ｃに係合し）、他の３本の係合突起１１が、略１２０°ピッチで形成される第２カム面５ｄに係合している（すなわち、第２カム溝５ｅに係合している。）。そのため、第１カム溝５ｃに係合する３本の係合突起１１によって第１レンズ保持体３をＺ２方向へ円滑に移動させることができ、第２カム溝５ｅに係合する３本の係合突起１１によって第１レンズ保持体３をＺ１方向へ円滑に移動させることができる。すなわち、Ｚ方向への第１レンズ保持体３の移動を安定させることができる。
【００５０】
［実施の形態２］
（レンズ鏡筒の概略構成）
図７は、本発明の実施の形態２にかかる案内筒２４およびカム筒２５等を示す分解斜視図である。図８は、図７に示す第１レンズ保持体２３の斜視図である。図９は、図７に示す第２レンズ保持体３３の斜視図である。図１０は、図８に示す第１レンズ保持体２３の平面図である。
【００５１】
上述した実施の形態１では、第１レンズ保持体３をＺ方向へ移動させる第１カム筒５と第２レンズ保持体をＺ方向へ移動させる第２カム筒６とが別体で形成されている。これに対して、実施の形態２では、第１レンズ保持体２３および第２レンズ保持体３３をＺ方向へ移動させるカム筒２５が一体で形成されている。また、実施の形態１では、別体で形成された係合突起１１が第１レンズ保持体３に固定されているのに対し、実施の形態２では、第１レンズ保持体２３に一体で第１係合突起２３ａおよび第２係合突起２３ｂが形成されている。これらの点が、実施の形態１と実施の形態２との大きな相違点である。以下、この相違点を中心に実施の形態２にかかるレンズ鏡筒を説明する。
【００５２】
本形態のレンズ鏡筒は、光学レンズとしてのフォーカシングレンズ（図示省略）と、フォーカシングレンズを保持するレンズ保持体としての第１レンズ保持体２３と、光学レンズとしてのズーミングレンズ（図示省略）と、ズーミングレンズを保持するレンズ保持体としての第２レンズ保持体３３と、第１レンズ保持体２３および第２レンズ保持体３３をＺ方向へ略直線状に案内するための案内筒２４と、第１レンズ保持体２３および第２レンズ保持体３３をＺ方向へ移動させるカム筒２５を備えている。また、本形態のレンズ鏡筒は、実施の形態１のレンズ鏡筒１と同様に、カム筒２５を回動させるためのモータ（図示省略）や、カム筒２５等の一部が収納されるケース体（図示省略）等を備えている。
【００５３】
第１レンズ保持体２３は、成型用金型を用いた樹脂成型によって形成されている。この第１レンズ保持体２３は、図８に示すように、略円筒状に形成されており、第１レンズ保持体２３の内周側にフォーカシングレンズが固定されている。
【００５４】
また、第１レンズ保持体２３は、径方向外側に突出するように樹脂成型で一体に形成された３本の第１係合突起２３ａおよび３本の第２係合突起２３ｂを備えている。本形態では、図１０に示すように、第１レンズ保持体２３の径方向中心（すなわち、光軸）を中心に略１２０°ピッチで第１係合突起２３ａが形成され、また、略１２０°ピッチで第２係合突起２３ｂが形成されている。具体的には、第１レンズ保持体２３の外周面には、円周方向に沿って、第１係合突起２３ａと第２係合突起２３ｂとが略６０°ピッチで交互に形成されている。
【００５５】
第１係合突起２３ａは、略円筒状に形成されている。一方、第２係合突起２３ｂは、図８に示すように、径方向から見た形状が略Ｕ形状となるように形成されている。すなわち、第２係合突起２３ｂでは、第１レンズ保持体２３の円周方向の一端（図１０では、時計方向端）が開口しており、円周方向の他端には側部２３ｃが形成されている。係合突起２３ａ、２３ｂは、案内筒２４に形成された後述の第１案内溝２４ｃおよびカム筒２５に形成された後述の大径部第１カム面２５１ｂ、大径部第２カム面２５１ｄに係合している。
【００５６】
本形態では、第１レンズ保持体２３を形成する際に、第１レンズ保持体２３の外周側に配置される成型用金型は、図１０に示す分割面Ｐを境界として３分割されている。具体的には、第１レンズ保持体２３の外周側に配置される成型用金型は、第２係合突起２３ｂの側部２３ｃの内周面を通過するとともに第１レンズ保持体２３の径方向中心を中心に略１２０°ピッチで配置される分割面Ｐを境界として３分割されている。第１レンズ保持体２３を形成する際には、第１レンズ保持体２３の成型後に、３分割された成型用金型をそれぞれ、第１係合突起２３ａの突出方向となるＶ１〜Ｖ３方向へ移動させる。
【００５７】
第２レンズ保持体３３も、第１レンズ保持体２３と同様に、成型用金型を用いた樹脂成型によって形成されている。この第２レンズ保持体３３は、図９に示すように、第１レンズ保持体２３よりも外径および内径の小さな略円筒状に形成されており、第２レンズ保持体３３の内周側にズーミングレンズが固定されている。また、第２レンズ保持体３３は、第１係合突起２３ａ、第２係合突起２３ｂと同様に形成される第１係合突起３３ａおよび第２係合突起３３ｂを備えている。係合突起３３ａ、３３ｂは、案内筒２４に形成された後述の第２案内溝２４ｄおよびカム筒２５に形成された後述の小径部第１カム面２５２ｂ、小径部第２カム面２５２ｄに係合している。
【００５８】
また、第１レンズ保持体２３を形成するための成型用金型と同様に、第２レンズ保持体３３を形成する際に、第２レンズ保持体３３の外周側に配置される成型用金型は、第２係合突起３３ｂの側部３３ｃの内周面を通過するとともに略１２０°ピッチで配置される分割面を境界として３分割されている。そして、第２レンズ保持体３３を形成する際には、第２レンズ保持体３３の成型後に、３分割された成型用金型をそれぞれ、第１係合突起３３ａの突出方向へ移動させる。
【００５９】
案内筒２４は、成型用金型を用いた樹脂成型によって形成されている。この案内筒２４は、全体として略円筒状に形成されている。また、案内筒２４は、内周側に第１レンズ保持体２３が配置される大径部２４ａと、内周側に第２レンズ保持体３３が配置され大径部２４ａよりも外径および内径の小さな小径部２４ｂとから構成されている。大径部２４ａはＺ１方向側に配置され、小径部２４ｂはＺ２方向側に配置されている。
【００６０】
大径部２４ａには、第１レンズ保持体２３をＺ方向へ直線状に案内するための第１案内溝２４ｃが形成されている。具体的には、案内筒２４の径方向中心を中心に略６０°ピッチで、Ｚ方向を長手方向とする第１案内溝２４ｃが６本、大径部２４ａに形成されている。第１案内溝２４ｃのそれぞれには、図７に示すように、係合突起２３ａ、２３ｂが挿通されている。
【００６１】
小径部２４ｂには、第２レンズ保持体３３をＺ方向へ直線状に案内するための第２案内溝２４ｄが形成されている。具体的には、案内筒２４の径方向中心を中心に略６０°ピッチで、Ｚ方向を長手方向とする第２案内溝２４ｄが６本、小径部２４ｂに形成されている。第２案内溝２４ｄのそれぞれには、図７に示すように、係合突起３３ａ、３３ｂが挿通されている。
【００６２】
（カム筒の構成）
図１１は、図７に示すカム筒２５をＺ２方向側から示す斜視図である。図１２は、図１１に示すカム筒２５の内周側を展開して示す展開図である。
【００６３】
カム筒２５は、成型用金型を用いた樹脂成型によって形成されている。このカム筒２５は、全体として段付きの略円筒状に形成されている。また、カム筒２５は、所定の外径および内径で形成され内周側に案内筒２４の大径部２４ａが配置される大径部２５１と、大径部２５１よりも小さな外径および内径で形成され内周側に案内筒２４の小径部２４ｂが配置される小径部２５２と、大径部２５１と小径部２５２との間に形成される段部２５３とを備えている。大径部２５１はＺ１方向側に配置され、小径部２５２はＺ２方向側に配置されている。なお、第１カム筒５と同様に、カム筒２５の外周面には、歯車部（図示省略）が形成されており、カム筒２５は、案内筒２４に対して回動可能となっている。
【００６４】
大径部２５１の内周側には、図７、図１２に示すように、段部２５３が形成されるＺ２方向へ第１レンズ保持体２３を移動させるための大径部第１カム面２５１ｂと、大径部第１カム面２５１ｂからＺ２方向に向かって段部２５３まで径方向外側に窪む大径部第１カム溝２５１ｃと、Ｚ１方向へ第１レンズ保持体２３を移動させるための大径部第２カム面２５１ｄと、大径部第２カム面２５１ｄからＺ１方向に向かって大径部２５１の内周面２５１ｔのＺ１方向端まで径方向外側に窪む大径部第２カム溝２５１ｅとが形成されている。また、大径部２５１の内周側には、大径部第１カム溝２５１ｃから内周面２５１ｔのＺ１方向端まで通ずるように径方向外側に窪む連通部２５１ｆが形成されている。
【００６５】
具体的には、大径部２５１の内周側には、第１カム筒５の内周側と同様に、円周方向に沿って、大径部第１カム面２５１ｂと大径部第２カム面２５１ｄとが略６０°ピッチで交互に形成されている。すなわち、大径部２５１の内周側には、略６０°ピッチで大径部第１カム溝２５１ｃと大径部第２カム溝２５１ｅとが交互に形成されている。本形態では、隣接する大径部第１カム溝２５１ｃと大径部第２カム溝２５１ｅとによって１組の大径部カム溝組２５１ｇが構成されている。すなわち、本形態の大径部２５１は、３組の大径部カム溝組２５１ｇを備えている。なお、本形態では、大径部２５１の内周側の最も径の小さい部分が内周面２５１ｔとなっている。
【００６６】
大径部第１カム面２５１ｂおよび大径部第２カム面２５１ｄは、第１カム面５ｂおよび第２カム面５ｄと同様に、回動するカム筒２５の回動角度に応じて、第１レンズ保持体２３がＺ方向へ適切に移動するような形状に形成されている。本形態では、大径部第１カム面２５１ｂおよび大径部第２カム面２５１ｄは、たとえば、図１２に示すように、円周方向に対して左上りで緩やかに略等しい角度で傾斜する略平面状に形成されている。なお、大径部第１カム面２５１ｂ、大径部第２カム面２５１ｄは、曲面状に形成されても良い。
【００６７】
大径部第１カム溝２５１ｃは、上述のように、大径部第１カム面２５１ｂからＺ２方向に向かって段部２５３まで径方向外側に窪むように形成されている。すなわち、径方向から見たとき、大径部第１カム溝２５１ｃは、Ｚ方向に略平行な２つの側面２５１ｈ、２５１ｊと大径部第１カム面２５１ｂとに囲まれるとともに、大径部第１カム溝２５１ｃのＺ２方向側は段部２５３に形成された後述の開口部２５３ａを介してＺ２方向へ開口している。また、連通部２５１ｇは、図１２における大径部第１カム面２５１ｂの左端部からＺ１方向に向かって所定の幅で形成されている。
【００６８】
大径部第２カム溝２５１ｅは、第２カム溝５ｅと同様に、径方向から見たとき、Ｚ方向に略平行な２つの側面２５１ｋ、２５１ｍと大径部第２カム面２５１ｄとに囲まれるとともに、大径部第２カム溝２５１ｅのＺ１方向側は開口している。
【００６９】
小径部２５２の内周側には、図１１、図１２に示すように、Ｚ２方向へ第２レンズ保持体３３を移動させるための小径部第１カム面２５２ｂと、小径部第１カム面２５２ｂからＺ２方向に向かって小径部２５２の内周面２５２ｔのＺ２方向端まで径方向外側に窪む小径部第１カム溝２５２ｃと、段部２５３が形成されるＺ１方向へ第２レンズ保持体３３を移動させるための小径部第２カム面２５２ｄと、小径部第２カム面２５２ｄからＺ１方向に向かって段部２５３まで窪む小径部第２カム溝２５２ｅとが形成されている。また、小径部２５２の内周側には、小径部第１カム溝２５２ｃから段部２５３まで通ずるように径方向外側に窪む連通部２５２ｆが形成されている。
【００７０】
具体的には、小径部２５２の内周側には、小径部第１カム面２５２ｂおよび小径部第２カム面２５２ｄが略１２０°ピッチでそれぞれ３箇所に形成されている。すなわち、小径部２５２の内周側には、小径部第１カム溝２５２ｃおよび小径部第２カム溝２５２ｅが略１２０°ピッチでそれぞれ３箇所に形成されている。また、小径部第１カム溝２５２ｃと小径部第２カム溝２５２ｅとは円周方向に沿って交互に形成されている。本形態では、隣接する小径部第１カム溝２５２ｃと小径部第２カム溝２５２ｅとによって１組の小径部カム溝組２５２ｇが構成されている。すなわち、本形態の小径部２５２は、３組の小径部カム溝組２５２ｇを備えている。なお、本形態では、小径部２５２の内周側の最も径の小さい部分が内周面２５２ｔとなっている。
【００７１】
小径部第１カム面２５２ｂおよび小径部第２カム面２５２ｄは、回動するカム筒２５の回動角度に応じて、第２レンズ保持体３３がＺ方向へ適切に移動するような形状に形成されている。本形態では、小径部第１カム面２５２ｂおよび小径部第２カム面２５２ｄは、たとえば、図１２に示すように、円周方向に対して左上りに略等しい角度で傾斜する略平面状に形成されている。なお、小径部第１カム面２５２ｂ、小径部第２カム面２５２ｄは、曲面状に形成されても良い。
【００７２】
小径部第１カム溝２５２ｃは、第１カム溝５ｃと同様に、径方向から見たとき、Ｚ方向に略平行な２つの側面２５２ｈ、２５２ｊと小径部第１カム面２５２ｂとに囲まれるとともに、小径部第１カム溝２５２ｃのＺ２方向側は開口している。また、連通部２５２ｆは、図１２における小径部第１カム面２５２ｂの左端部からＺ１方向に向かって所定の幅で形成されている。
【００７３】
小径部第２カム溝２５２ｅは、上述のように、小径部第２カム面２５２ｄからＺ１方向に向かって段部２５３まで窪むように形成されている。すなわち、径方向から見たとき、小径部第２カム溝２５２ｅは、Ｚ方向に略平行な２つの側面２５２ｋ、２５２ｍと小径部第２カム面２５２ｄとに囲まれるとともに、小径部第２カム溝２５２ｅのＺ１方向側は段部２５３において開口している。
【００７４】
段部２５３には、図１１に示すように、開口部２５３ａが形成されている。具体的には、大径部第１カム溝２５１ｃに対応するように略１２０°ピッチで３箇所に開口部２５３ａが形成されている。開口部２５３ａの円周方向の幅は、大径部第１カム溝２５１ｃの円周方向の幅とほぼ等しくなっており、上述のように、大径部第１カム溝２５１ｃは、開口部２５３ａを介してＺ２方向へ開口している。
【００７５】
大径部第１カム面２５１ｂには、Ｚ２方向から第１係合突起２３ａが当接して係合している。また、大径部第２カム面２５１ｄには、Ｚ１方向から第２係合突起２３ｂが当接して係合している。すなわち、大径部第１カム溝２５１ｃおよび大径部第２カム溝２５１ｅのそれぞれには、係合突起２３ａ、２３ｂが係合している。
【００７６】
また、小径部第１カム面２５２ｂには、Ｚ２方向から第１係合突起３３ａが当接して係合している。また、小径部第２カム面２５２ｄには、Ｚ１方向から第２係合突起３３ｂが当接して係合している。すなわち、小径部第１カム溝２５２ｃおよび小径部第２カム溝２５２ｅのそれぞれには、係合突起３３ａ、３３ｂが係合している。
【００７７】
本形態では、カム筒２５の内周側を形成するための成型用金型として、Ｚ方向で２分割された成型用金型を用いている。すなわち、カム筒２５の成型後に、２分割された成型用金型をそれぞれＺ１方向、Ｚ２方向へ移動させることで、大径部２５１の内周側に、大径部第１カム面２５１ｂ、大径部第２カム面２５１ｄ、大径部第１カム溝２５１ｃ、大径部第２カム溝２５１ｅおよび連通部２５１ｆ等が形成され、小径部２５２の内周側には、小径部第１カム面２５２ｂ、小径部第２カム面２５２ｄ、小径部第１カム溝２５２ｃ、小径部第２カム溝２５２ｅおよび連通部２５２ｆ等が形成される。
【００７８】
なお、カム筒２５の内周側を形成するためにＺ１方向側に配置される成型用金型は、大径部第２カム面２５１ｄおよび大径部第２カム溝２５１ｅ等を形成するための大径部と、小径部第２カム面２５２ｄおよび小径部第２カム溝２５２ｅ等を形成するための小径部とからなる段付き円柱部を備えている。一方、Ｚ２方向側に配置される成型用金型は、小径部第１カム面２５２ｂ、小径部第１カム溝２５２ｃおよび連通部２５２ｆ等を形成するための円柱部と、大径部第１カム面２５１ｂ、大径部第１カム溝２５１ｃおよび連通部２５１ｆ等を形成するために円柱部の径方向外側に配置される突起部とを備えている。また、この突起部によって段部２５３に開口部２５３ａが形成される。
【００７９】
（レンズ鏡筒の組立手順および概略動作）
以上のように構成された実施の形態２のレンズ鏡筒は、以下のように組み立てられる。
【００８０】
まず、第１レンズ保持体２３にフォーカシングレンズを固定し、第２レンズ保持体３３にズーミングレンズを固定する。その後、第１レンズ保持体２３および第２レンズ保持体３３を案内筒２４の中に配置する。その後、Ｚ１方向からＺ２方向に向かって、第１レンズ保持体２３および第２レンズ保持体３３を保持した案内筒２４をカム筒２５に挿通する。
【００８１】
このとき、案内筒２４から径方向外側に突出している第１係合突起２３ａは、連通部２５１ｆを通過して大径部第１カム溝２５１ｃに係合する。また、第２係合突起２３ｂは、大径部第２カム溝２５１ｅに係合する。すなわち、係合突起２３ａ、２３ｂは、大径部第１カム面２５１ｂおよび大径部第２カム面２５１ｄに係合する。
【００８２】
また、このとき、案内筒２４から径方向外側に突出している第１係合突起３３ａは、連通部２５２ｆを通過して小径部第１カム溝２５２ｃに係合する。また、第２係合突起３３ｂは、小径部第２カム溝２５２ｅに係合する。すなわち、係合突起３３ａ、３３ｂは、小径部第１カム面２５２ｂおよび小径部第２カム面２５２ｄに係合する。
【００８３】
その後、ケース体等の所定の部品等を組み付けることで、実施の形態２のレンズ鏡筒の組立が完了する。
【００８４】
また、以上のように構成された実施の形態２のレンズ鏡筒は、以下のように動作する。
【００８５】
フォーカシング動作およびズーム動作を行うために、モータが起動すると、カム筒２５が案内筒２４に対して相対的に回動する。カム筒２５が一方向へ回動すると、大径部第２カム面２５１ｄに当接する第２係合突起２３ｂが大径部第２カム面２５１ｄに沿ってＺ１方向へ移動するため、第１レンズ保持体２３はＺ１方向へ移動する。同様に、カム筒２５が一方向へ回動すると、第２レンズ保持体３３もＺ１方向へ移動する。一方、カム筒２５が他方向へ回動すると、大径部第１カム面２５１ｂに当接する第１係合突起２３ａが大径部第１カム面２５１ｂに沿ってＺ２方向へ移動するため、第１レンズ保持体２３はＺ２方向へ移動する。同様に、カム筒２５が他方向へ回動すると、第２レンズ保持体３３もＺ２方向へ移動する。
【００８６】
（本形態の主な効果）
以上説明したように、本形態では、大径部２５１に、大径部第１カム面２５１ｂからＺ２方向に向かって段部２５３まで大径部第１カム溝２５１ｃが形成され、大径部第２カム面２５１ｄからＺ１方向に向かって内周面２５１ｔのＺ１方向端まで大径部第２カム溝２５１ｅが形成されている。また、小径部２５２に、小径部第１カム面２５２ｂからＺ２方向に向かって内周面２５２ｔのＺ２方向端まで小径部第１カム溝２５２ｃが形成され、小径部第２カム面２５２ｄからＺ１方向に向かって段部２５３まで小径部第２カム溝２５２ｅが形成されている。そのため、第１カム筒５と同様に、Ｚ方向に２分割される成型用金型を用いた樹脂成型でカム筒２５の内周側を形成することができる。その結果、本形態では、カム筒２５を形成するための成型用金型の構成を簡素化することができる。
【００８７】
本形態では、カム筒２５の内周側に、連通部２５１ｆ、２５２ｆが形成されている。そのため、第１レンズ保持体２３、第２レンズ保持体３３を保持した案内筒２４をＺ１方向からＺ２方向に向かってカム筒２５の内周側に挿通して、大径部第１カム面２５１ｂおよび大径部第２カム面２５１ｄと係合突起２３ａ、２３ｂとを係合させることができ、小径部第１カム面２５２ｂおよび小径部第２カム面２５２ｄと係合突起３３ａ、３３ｂとを係合させることができる。したがって、本形態では、レンズ鏡筒の組立作業が容易になる。
【００８８】
本形態では、第１レンズ保持体２３の径方向中心を中心に略１２０°ピッチで配置された第１係合突起２３ａが、略１２０°ピッチで形成される大径部第１カム面２５１ｂに係合し、第２係合突起２３ｂが、略１２０°ピッチで形成される大径部第２カム面２５１ｄに係合している。そのため、実施の形態１と同様に、Ｚ方向への第１レンズ保持体２３の移動を安定させることができる。また同様に、本形態では、Ｚ方向への第２レンズ保持体３３の移動を安定させることができる。
【００８９】
本形態では、第１レンズ保持体２３は、第１レンズ保持体２３の径方向中心を中心に略１２０°ピッチで外周面に配置される略円筒状の第１係合突起２３ａと、第１係合突起２３ａに対して略６０°ピッチで外周面に配置され、第１レンズ保持体２３の円周方向の一端が開口する第２係合突起２３ｂとを備えている。そのため、第１レンズ保持体２３に６本の係合突起２３ａ、２３ｂが形成される場合であっても、上述のように、第１レンズ保持体２３を樹脂成型によって形成する際に第１レンズ保持体２３の外周側に配置される成型用金型を第１係合突起２３ａを略中心に分割される３つの分割金型で構成することができる。したがって、第１レンズ保持体２３を形成するための成型用金型の取扱いが容易になり、第１レンズ保持体２３の形成が容易になる。同様に、本形態では、第２レンズ保持体３３を形成するための成型用金型の取扱いが容易になり、第２レンズ保持体３３の形成が容易になる。
【００９０】
［他の実施の形態］
上述した形態は、本発明の好適な形態の一例ではあるが、これに限定されるものではなく本発明の要旨を変更しない範囲において種々変形可能である。
【００９１】
上述した実施の形態１では、第１カム溝５ｃは、Ｚ２方向に向かうにしたがって第１カム溝５ｃの円周方向の幅がわずかに広くなるようにＺ方向に対してわずかに傾斜する２つの側面５ｈ、５ｊに囲まれ、第２カム溝５ｅは、Ｚ１方向に向かうにしたがって第２カム溝５ｅの円周方向の幅がわずかに広くなるようにＺ方向に対してわずかに傾斜する２つの側面５ｋ、５ｍに囲まれている。この他にもたとえば、第１カム溝５ｃが、Ｚ２方向に向かうにしたがって第１カム溝５ｃの円周方向の幅が広くなるようにＺ方向に対して大きく傾斜する２つの側面５ｈ、５ｊに囲まれ、第２カム溝５ｅが、Ｚ１方向に向かうにしたがって第２カム溝５ｅの円周方向の幅が広くなるようにＺ方向に対して大きく傾斜する２つの側面５ｋ、５ｍに囲まれても良い。
【００９２】
また、実施の形態２においても同様に、大径部第１カム溝２５１ｃ、小径部第１カム溝２５２ｃがＺ２方向に向かうにしたがって円周方向の幅が広くなるように、Ｚ方向に対して大きく傾斜する２つの側面２５１ｈ、２５１ｊ、２５２ｈ、２５１ｊに囲まれ、大径部第２カム溝２５１ｅ、小径部第２カム溝２５２ｅがＺ１方向に向かうにしたがって円周方向の幅が広くなるように、Ｚ方向に対して大きく傾斜する２つの側面２５１ｋ、２５１ｍ、２５２ｋ、２５２ｍに囲まれても良い。
【００９３】
上述した実施の形態１では、第１カム溝５ｃから内周面５ｔのＺ１方向端まで通ずるように連通部５ｆが形成されている。この他にもたとえば、連通部５ｆに加え、あるいは、連通部５ｆに代えて、第２カム溝５ｅから内周面５ｔのＺ２方向端まで通ずるように連通部が形成されても良い。
【００９４】
上述した形態では、係合突起１１、第１係合突起２３ａは、略円筒状に形成されている。この他にもたとえば、係合突起１１、第１係合突起２３ａは、略円柱状に形成されても良い。また、係合突起１１、第１係合突起２３ａは、角筒状あるいは角柱状に形成されても良い。また、上述した実施の形態２では、第１レンズ保持体２３、第２レンズ保持体３３は、円周方向の一端が開口する３本の第２係合突起２３ｂ、３３ｂを備えているが、第２係合突起２３ｂ、３３ｂに代えて、第１係合突起２３ａ、３３ａを備えていても良い。すなわち、第１レンズ保持体２３、第２レンズ保持体３３は、６本の第１係合突起２３ａ、３３ａを備えていても良い。
【００９５】
上述した形態では、レンズ鏡筒１は、プロジェクタ装置に使用されている。この他にもたとえば、レンズ鏡筒１は、デジタルカメラ等のスチールカメラ、ビデオカメラ等の動画撮影装置や、双眼鏡、望遠鏡等の観察装置その他の光学機器に使用されても良い。
【図面の簡単な説明】
【００９６】
【図１】本発明の実施の形態１にかかるレンズ鏡筒を示す斜視図であり、（Ａ）は一方向からレンズ鏡筒を示し、（Ｂ）は他方向からレンズ鏡筒を示す。
【図２】図１（Ａ）に示すレンズ鏡筒からフォーカシングレンズ、第２カム筒およびケース体等を取り外した状態を示す斜視図である。
【図３】図２に示す状態から第１カム筒を取り外した状態を示す分解斜視図である。
【図４】図２に示す第１レンズ保持体の斜視図である。
【図５】図３に示す第１カム筒の内周側を展開して示す展開図である。
【図６】図１に示すレンズ鏡筒における第１レンズ保持体の動作を説明するための図である。
【図７】本発明の実施の形態２にかかる案内筒およびカム筒等を示す分解斜視図である。
【図８】図７に示す第１レンズ保持体の斜視図である。
【図９】図７に示す第２レンズ保持体の斜視図である。
【図１０】図８に示す第１レンズ保持体の平面図である。
【図１１】図７に示すカム筒をＺ２方向側から示す斜視図である。
【図１２】図１１に示すカム筒の内周側を展開して示す展開図である。
【符号の説明】
【００９７】
１  レンズ鏡筒
２  フォーカシングレンズ（光学レンズ）
３  第１レンズ保持体（レンズ保持体）
４、２４  案内筒
５  第１カム筒（カム筒）
５ｂ  第１カム面
５ｃ  第１カム溝
５ｄ  第２カム面
５ｅ  第２カム溝
５ｆ  連通部
５ｇ  カム溝組
５ｔ、２５１ｔ、２５２ｔ  内周面
１１  係合突起
２３  第１レンズ保持体（レンズ保持体）
２３ａ  第１係合突起（係合突起）
２３ｂ  第２係合突起（係合突起）
２５  カム筒
２５１  大径部
２５１ｂ  大径部第１カム面
２５１ｃ  大径部第１カム溝
２５１ｄ  大径部第２カム面
２５１ｅ  大径部第２カム溝
２５１ｇ  大径部カム溝組
２５２  小径部
２５２ｂ  小径部第１カム面
２５２ｃ  小径部第１カム溝
２５２ｄ  小径部第２カム面
２５２ｅ  小径部第２カム溝
２５２ｇ  小径部カム溝組
２５３  段部
３３  第２レンズ保持体（レンズ保持体）
Ｚ  光軸方向
Ｚ１  他方向
Ｚ２  一方向
【図１】
2009036874.tif 000003
【図２】
2009036874.tif 000004
【図３】
2009036874.tif 000005
【図４】
2009036874.tif 000006
【図５】
2009036874.tif 000007
【図６】
2009036874.tif 000008
【図７】
2009036874.tif 000009
【図８】
2009036874.tif 000010
【図９】
2009036874.tif 000011
【図１０】
2009036874.tif 000012
【図１１】
2009036874.tif 000013
【図１２】
2009036874.tif 000014